(57)【要約】      （修正有）【課題】表示画面を最大限に活用したコンテンツを提供できるとともに、本の厚みやページ位置等の情報を紙媒体の書籍と同様に把握することができ、書籍等のコンテンツの理解や学習等においてより自然な取り扱いを可能とし、利便性に優れた機能を有する情報表示装置及び電子書籍装置を提供する。【解決手段】画面を備え、該画面上に表示情報を表示させる情報表示装置であって、上記情報表示装置は、ページの厚みを表示するモードと、ページの厚みを表示しないモードとを有する情報表示装置である。【選択図】図２−１
2006053605.tif 000002
【特許請求の範囲】
【請求項１】
画面を備え、該画面上に表示情報を表示させる情報表示装置であって、
該情報表示装置は、ページの厚みを表示するモードと、
ページの厚みを表示しないモードとを有することを特徴とする情報表示装置。
【請求項２】
前記情報表示装置は、ページの厚みを表示するモードと、ページの厚みを表示しないモードとを切り替えるモード切り替え手段を備えたことを特徴とする請求項1に記載の情報表示装置。
【請求項３】
前記情報表示装置は、複数ページにより構成される情報の中から指定されたページの情報を表示する処理を行うページ情報表示処理手段と、
該複数ページの厚さを表示することを指示するための入力手段と、
該入力手段に入力された厚さを表示する指示により複数ページの厚さを表示する処理を行うページ厚さ表示処理手段とを有する
ことを特徴とする請求項1又は２に記載の情報表示装置。
【請求項４】
前記入力手段は、ボタン操作、タッチパネル操作及び装置を傾ける操作から選択される少なくとも一つの操作により入力する手段であることを特徴とする請求項３に記載の情報表示装置。
【請求項５】
前記ページ厚さ表示処理手段は、複数ページ全部の厚さ、最初のページから指定されたページまでの厚さ、及び、指定されたページから最後のページまでの厚さから選択される少なくとも一つの厚さを表示する処理を行うことを特徴とする請求項３又は請求項４記載の情報表示装置。
【請求項６】
前記情報表示装置は、複数ページの厚さ表示部分の一部に入力があると、該当する部分のページを表示する処理を行う手段とを有することを特徴とする請求項１から請求項５のいずれか一項に記載の情報表示装置。
【請求項７】
前記情報表示装置は、指定されたページに目印を付することを指示するための入力手段と、
該指定されたページの目印を厚さ表示中に表示する処理を行う手段とを有することを特徴とする請求項１から請求項６のいずれか一項に記載の情報表示装置。
【請求項８】
前記情報表示装置は、目印が付されたページを表示する入力があると、該当する目印が付されたページを表示する処理を行う手段を有することを特徴とする請求項７記載の情報表示装置。
【請求項９】
前記情報表示装置は、ページの厚さ表示の切り替え手段を有し、
切り替え手段を２個もつ場合には、ページの厚さ表示時にページの厚さだけを表示するか、又は、ページの厚さとともに指定されたページに付された目印を表示するかを選択するための入力手段を有することを特徴とする請求項７記載の情報表示装置。
【請求項１０】
前記情報表示装置は、入力手段のモード切り替え機能を有することを特徴とする請求項１から請求項９のいずれか一項に記載の情報表示装置。
【請求項１１】
前記情報処理装置は、起動時又は操作者指定時に、入力手段のモードをリセットする機能を備えたことを特徴とする請求項１から１０のいずれか一項に記載の情報処理装置。
【請求項１２】
前記情報表示装置は、ページをめくることを指示するための入力手段と、
該入力手段に入力された指示によりページを順次表示してページをめくる処理を行う手段とを有することを特徴とする請求項１から請求項１１のいずれか一項に記載の情報表示装置。
【請求項１３】
前記情報表示装置は、ベースページの表示情報を描画した層と、その他の表示情報を描画した層とを画面合成処理して表示する手段を備えたものであることを特徴とする請求項１から請求項１２のいずれか一項に記載の情報表示装置。
【請求項１４】
請求項１〜１３のいずれかに記載の情報表示装置により構成されることを特徴とする電子書籍装置。
【発明の詳細な説明】
【技術分野】
【０００１】
本発明は、情報表示装置及びいわゆる電子ブックリーダー等と呼称される電子書籍装置に関する。より詳しくは、電子化された情報をディスプレイに表示する情報表示装置、及び、書籍等における文字や図表、絵等の情報を電子化して情報記憶媒体に記憶し、呼び出して表示する電子書籍装置に関するものである。
【背景技術】
【０００２】
情報表示装置は、情報記憶媒体等から文字や画像データを読み込んで画面上に表示させる電子機器であり、紙に情報を印刷して表示する等の従来の情報伝達手段に代わって、情報の取得手段として広く普及し日常生活等に欠かすことができないものとなっている。情報表示装置の中でも、主に書籍内容を表示させる携帯型の電子書籍装置は、書籍を読むのと同じような感覚で、電子機器を用いて読書や勉強をすることを可能とするものであり、電子情報端末の1つの用途として商品化され、大いに普及するものと期待されている。
【０００３】
このような電子書籍装置においては、単に書籍のコンテンツを携帯型の情報表示装置により表示させるだけではなく、例えば、(1)直感的な簡便な動作で装置を操作できるようにし、紙の書籍を取り扱う場合と同じような感覚で取り扱えるようにすることや、(2)書籍等の内容を電子化して取り扱う利点を最大限に引き出し、紙の書籍にはない利便性等を付与することが重要視される。現在の電子書籍の市場においては、書籍内容をモノクロ表示するもの、簡易動画や音声機能を有するものがあるが、電子書籍に求められる簡便性や利便性をより充実することが求められている。
【０００４】
ところで、複数のページにより構成される書籍内容をコンテンツとして表示する電子書籍において、紙媒体の書籍と同様に本の厚みや開いているページの位置を認識することができれば便利である。例えば、どのくらい読み進んだかを知るために、開いているページが全ページに対してどのくらいの位置にあるのか、又は、最初のページから開いているページまでの厚みと最後のページまでの厚み等を簡便に把握することができれば、電子書籍を紙媒体の書籍と同様な感覚で取り扱えることになる。このような機能に関して従来では、本の厚みやデータ容量、閲覧位置を特定するために、表示画面上の端の一定部分に線等を表示し、本の厚みを表現する手法や、画面上の一定のエリアに棒状のインジケータを表示し、およその閲覧位置を表示することで書籍データの閲覧位置を認識できる機能が搭載されているものがあった。
【０００５】
例えば、本の厚みを表現することができる電子書籍としては、書籍の最初のページから指定ページまでのページ数に応じた厚みと指定ページから最後のページまでのページ数に応じた厚みとを、表示手段に表示された指定ページの縁に表示することにより、ユーザは表示手段を目視するだけで現在表示しているページの書籍全体における位置を判断することができる電子書籍表示装置が開示されている（例えば、特許文献１参照。）。
しかしながら、上述のいずれの方法においても表示画面上の一定のエリアを、書籍の内容とは関係のないページ厚さ表示のために確保しておかねばならず、コンテンツの表示を行うための表示領域が圧迫されてしまっていた。
【０００６】
また装置に加わる力を検出して表示部品に生ずるべき加速度を算出する表示加速度生成手段を有し、装置を傾けるだけで連続的なページめくりが可能である情報表示装置が開示されている（例えば、特許文献２参照。）。
しかしながらこのように、装置を傾けるだけで連続的なページめくりをする場合にページの厚さが表示され、ページがめくられていく様子がページ厚さの変化によりわかるようにすれば、より紙媒体の書籍に近い感覚となる。またしかしながら、ページの厚さを表示しつつ連続的なページめくりをする場合においても、従来の電子書籍によれば、常時表示画面上の一定のエリアが書籍内容であるコンテンツとは関係のない情報の表示に用いられ、コンテンツの表示領域を可能な限り広げることができないことから、電子書籍に求められる簡便性や利便性を紙媒体の書籍に近い感覚で充分に達成できるものではなかった。
【特許文献１】特開２０００−３５３１７０号公報（第１、２、７、８頁等）
【特許文献２】特開２０００−１８１４２８号公報（第１、２、１０、１１頁等）
【発明の開示】
【発明が解決しようとする課題】
【０００７】
本発明は、上記現状に鑑みてなされたものであり、表示画面を最大限に活用したコンテンツを提供できるとともに、本の厚みやページ位置等の情報を紙媒体の書籍と同様に把握することができ、書籍等のコンテンツの理解や学習等においてより自然な取り扱いを可能とし、利便性に優れた機能を有する情報表示装置及び電子書籍装置を提供することを目的とするものである。
【課題を解決するための手段】
【０００８】
本発明者らは、テキストやイメージ画像等のコンテンツを記憶している媒体より読み込み、画面上に表示させる情報表示装置及び電子書籍装置について種々検討したところ、電子書籍における有用な機能として、本の厚みやデータ容量、閲覧位置等の情報を表示して把握することができるようにする機能があることに着目した。そして、通常使用状態では、これらの情報に関するインジケータ表示等を無くし、表示画面全てを書籍コンテンツの表示に利用できるものとし、操作者が閲覧中の書籍の厚みやページ位置を認識する必要が生じた時のみ、厚みや閲覧位置を認識可能な表示をするようにすると、コンテンツの表示を行うための表示領域を不必要に圧迫することなく、表示画面を最大限に活用したコンテンツを提供できるとともに、紙媒体の書籍と同様に必要に応じて書籍の厚みやページ位置を掴むことができるようになることを見いだした。これにより、電子書籍に求められる簡便性や利便性をより充実することが可能となり、上記課題をみごとに解決することができることに想到し、本発明に到達したものである。
【０００９】
すなわち、本発明は、画面を備え、該画面上に表示情報を表示させる情報表示装置であって、上記情報表示装置は、ページの厚みを表示するモードと、ページの厚みを表示しないモードとを有する情報表示装置である。
【００１０】
上記情報表示装置は、ページの厚みを表示するモードと、ページの厚みを表示しないモードとを切り替えるモード切り替え手段を備えたものであることにより、操作者が必要に応じてページの厚みや閲覧位置を認識することが可能となる。
【００１１】
上記情報表示装置は、複数ページにより構成される情報の中から指定されたページの情報を表示する処理を行うページ情報表示処理手段と、上記複数ページの厚さを表示することを指示するための入力手段と、上記入力手段に入力された厚さを表示する指示により複数ページの厚さを表示する処理を行うページ厚さ表示処理手段とを有する形態であることにより、表示画面を最大限に活用したコンテンツを提供できるとともに、本の厚みやページ位置等の情報を紙媒体の書籍と同様に把握することができ、より自然な取り扱いを可能としたものるものとすることができることとなる。
【００１２】
上記入力手段は、ボタン操作、タッチパネル操作及び装置を傾ける操作から選択される少なくとも一つの操作により入力する手段であることにより、簡便に入力操作を行うことができる。これらの中でも、情報表示装置の操作をより自然に行うことができるようにする点から、装置を傾ける操作を入力手段とすることが好ましい。
【００１３】
上記厚さ表示処理手段は、複数ページ全部の厚さ、最初のページから指定されたページまでの厚さ、及び、指定されたページから最後のページまでの厚さから選択される少なくとも一つの厚さを表示する処理を行うことにより、紙媒体の書籍を読む場合と同様にページの厚みに関する情報を充分に把握することができる。
【００１４】
上記情報表示装置は、複数ページの厚さ表示部分の一部に入力があると、該当する部分のページを表示する処理を行う手段とを有することにより、ページ厚み表示時に厚み部分を操作して簡便に見たいページを探すことができ、紙媒体の書籍においてページをめくるのと同様の感覚で電子書籍を操作することができる。
【００１５】
上記情報表示装置は、指定されたページに目印を付することを指示するための入力手段と、上記指定されたページの目印を厚さ表示中に表示する処理を行う手段とを有することにより、書籍に付箋を付するのと同様な利便性が情報表示装置に付与されることになる。
このような情報表示装置においては、目印が付されたページを表示する入力があると、該当する目印が付されたページを表示する処理を行う手段を有することが好ましい。
【００１６】
上記情報表示装置は、ページの厚さ表示の切り替え手段を有し、切り替え手段を２個もつ場合には、ページの厚さ表示時にページの厚さだけを表示するか、又は、ページの厚さとともに指定されたページに付された目印を表示するかを選択するための入力手段を有することにより、ページの厚さの表示方法をユーザーの要求に応じて変えることができ、電子書籍等における利便性を向上することができる。
【００１７】
上記情報表示装置は、入力手段のモード切り替え機能を有することにより、例えば、装置を傾ける操作を入力手段とする場合に、操作者が座った状態で装置を取り扱う場合と横になった状態で装置を取り扱う場合とにおいて、検知される装置の傾きを区別して適切に入力されるようにすることができる。
【００１８】
上記情報表示装置は、起動時又は操作者指定時に、入力手段のモードをリセットする機能を備えたものであることにより、より簡便な操作で装置を取り扱うことが可能となり、電子書籍に求められる簡便性や利便性をより充実することができる。
【００１９】
上記情報表示装置は、ページをめくることを指示するための入力手段と、上記入力手段に入力された指示によりページを順次表示してページをめくる処理を行う手段とを有することにより、上述した機能と相まって、情報表示装置に要求される利便性や簡便性を向上し、紙媒体の書籍を取り扱う感覚により近づけることができる。
【００２０】
上記情報表示装置は、ベースページの表示情報を描画した層と、その他の表示情報を描画した層とを画面合成処理して表示する手段を備えたものであることにより、上述した機能を効率的に実現することが可能となる。
上記情報表示装置の用途としては、電子書籍装置が好適であり、上記情報表示装置により構成される電子書籍装置もまた本発明の一つである。
【発明の効果】
【００２１】
本発明の情報表示装置又は電子書籍装置は、上述した構成からなるので、表示画面を最大限に活用したコンテンツを提供できるとともに、本の厚みやページ位置等の情報を紙媒体の書籍と同様に把握することができ、より自然な取り扱いを可能としたものるものである。例えば、通常使用状態では、表示画面全てを書籍コンテンツの表示に利用できるものとし、操作者が閲覧中の書籍の厚みや位置を認識する必要が生じたときのみ、簡単な操作で書籍の厚みや付箋、インデックスなどを画面上に表示させ、書籍の読書位置や分量を把握できるようにすることで、本の厚みやページ位置等の情報を紙媒体の書籍と同様に把握することができる。また、書籍の厚みに加えて、付箋、インデックスなどを表示するようにすると、さらに本としてのリアリティを高め、媒体の書籍を取り扱う感覚により近づけることができる紙の本の使い勝手を追求することが可能となる。
【発明を実施するための最良の形態】
【００２２】
以下に本発明を実施するための最良の形態として電子書籍装置に具現化させた例を掲げ、図面を参照して更に詳細に説明するが、本発明はこれらの実施の形態のみに限定されるものではない。
ここでは、タッチパネルのペン操作による電子書籍装置について、１．ブロック図、２．操作フロー図（操作に対する処理の流れを示す図）、３．表示モードと画面表示の様子、４．Layer（層）の概念とLayer画面合成処理の実現方法を説明した後、本発明により実現された電子書籍装置の手書き表示と虫食い表示との切り替え機能の表示形態について説明する。
【００２３】
本実施形態の電子書籍装置は、画面を備え、上記画面上に表示情報を表示させる機能を有するものであり、電子化された情報を液晶表示装置等の画面（ディスプレイ）に表示する機能を有する。好ましい形態としては、電子書籍の分野に好適に適用されるものであることから、例えば、モバイル機器等と称される携帯型の端末装置を用いて構成し、主に書籍内容等における文字や図表、画像等を表示することに専用化された電子書籍装置とすることである。この場合には、電子書籍装置が情報表示装置により構成されることになるが、主に電子書籍として利用されることになり、一般的な広い用途をもつ情報表示装置とは区別されることになる。
【００２４】
なお、電子書籍装置を構成する情報記憶媒体や画面等の電子的構成要素や機械的構成としては、コンピュータ読み取り可能な情報記憶媒体から電子化された情報を読み込んで画面上に表示させる機能、及び、いわゆる電子書籍としての機能や構成を有するものであることが好ましく、またその他の機能や構成要素を含んでいてもよい。
【００２５】
１．ブロック図
電子書籍端末装置のハードウェア構成について、ブロック図を図１に示す。
(1)ＣＰＵ（Central Processing Unit；中央処理装置）
ＣＰＵ(1)は、ＲＯＭ（Read Only Memory）(2)、ＲＡＭ（Random Access Memory）(3)からプログラムを読み込み、実行する装置であり、データを演算し、各部を制御する。なお、本実施の形態では１個のＣＰＵで構成したが、複数のＣＰＵで構成（マルチプロセッサシステム）してもよい。
(2)ＲＯＭ（Read Only Memory；読み出し専用記憶装置）
ＲＯＭ(2)は、本実施の形態ではＦＬＡＳＨメモリで構成されており、ブート（ハードウェア初期化・起動）プログラム、システムプログラム（ＯＳ、デバイスドライバ）等が格納されている。なお、本実施の形態ではアプリケーションプログラムは、ＣＦ（Compact Flash；コンパクトフラッシュ（登録商標））メモリカード(17)に格納されており、ＲＡＭ(3)へ転送後にＣＰＵ(1)により実行される。しかし、そのアプリケーションプログラムをＲＯＭＲＡＭ(2)へ格納して直接ＣＰＵ(1)より読み出せるようにして実行してもよい。そうすると、電源ＯＮ後極めて短時間（数秒以内）で起動でき、使い勝手が飛躍的に向上する。
【００２６】
(3)ＲＡＭ（Random Access Memory；半導体素子を利用した記憶装置）
ＲＡＭ(3)は、本実施の形態ではＤＤＲ−ＳＤＲＡＭ（Double Data Rate-Synchronous Dynamic RAM）により構成されており、プログラムエリア又はワークエリア（一時記憶領域）として使われる。本実施の形態では電源ＯＦＦすると記憶内容が失われる消えるが、不揮発性ＲＡＭ（Ｍ−ＲＡＭ）等で構成してもよい。
(4)タッチパネル
タッチパネル(4)は、表示装置(13)上に重ねて配置している。ユーザ操作入力をシステムで検出するための一手段である。本実施の形態では抵抗膜方式を使っているが、他の方式（電磁誘導方式等）でもかまわない。
(5)タッチパネルコントローラ
タッチパネルコントローラ(5)は、ユーザーが操作したタッチパネル(4)の情報（ＸＹ座標値、押した強さ等）を符号化し、ＣＰＵ(1)へ伝える機能を有する。なお、本実施の形態ではタッチパネルコントローラ(5)として独立したＩＣを用いたが、これを汎用のＡＤコンバータ（analog to digital converter）やトランジスタ回路で実現し、ＣＰＵ(1)のソフトウェアプログラムによって直接制御する方式で実現してもかまわない。
【００２７】
(6)キー
キー(6)は、ユーザ操作入力をシステムで検出するための一手段であり、ユーザ操作を入力するためのキースイッチである。
(7)キー入力ポート
キー入力ポート(7)は、キー(6)が押されている結果（各キーのＯｎ／Ｏｆｆ状態）を符号化してＣＰＵ(1)に伝える。
(8)電源キー
システム電源が入っていないときに電源キー(8)を押すと、電源コントローラ(9)がシステム各部に電気を供給し始める。また、システム電源が入っているときに電源キー(8)を押すと、キー入力ポート(7)経由でＣＰＵ(1)へ伝える。その後、ＣＰＵ(1)から電源コントローラ(9)へ「電源ＯＦＦ指示」符号が伝えられ、システムの電源が落ちる。これにより、電源のソフト制御を可能としている。
(9)電源コントローラ
電源コントローラ(9)は、(i)電源キー(8)によるシステム電源ＯＮ機能、(ii)ＣＰＵ(1)からの指示による電源ＯＦＦ機能、(iii)ＡＣアダプタ(11)接続時に、供給された電気をシステム各部の適切な電圧へ変換し、供給する機能、(iv)ＡＣアダプタ(11)未接続時に、充電池に蓄えられた電気をシステム各部の適切な電圧へ変換し、供給する機能、及び、(v)ＡＣアダプタ接続時に充電池(10)を充電する機能を有する。
【００２８】
(10)充電池
電源コントローラ(9)において説明したとおりである。
(11)ＡＣアダプタ
ＡＣアダプタ(11)は、外部からの電源を供給する。
(12)表示コントローラ
表示コントローラ(12)は、表示装置で表示する内容のデータを送り続ける。
(13)表示装置
表示装置(13)は、ＣＰＵ(1)の演算結果を出力し、ユーザへ示す機能を有する。なお、本実施の形態では液晶表示装置を用いたが、もちろん他の方式の表示装置を使ってもかまわない。
(14)ＭＭＣ（登録商標）コントローラ
ＭＭＣ（登録商標）コントローラ(14)は、着脱式メモリカードＭＭＣ（Multi Media Card（登録商標）；マルチメディアカード）の読み書きを制御したり、カードの有無を検出する。なお、本実施の形態ではＭＭＣを用いたが、もちろん他の方式のメモリカードを用いてもかまわない。このようなカードとしては、ＳＤメモリカード、ｍｉｎｉＳＤ（登録商標）メモリカード、ｍｉｎｉＭＭＣ（登録商標）、ＳｍａｒｔＭｅｄｉａ（登録商標）、ｘＤ−Ｐｉｃｔｕｒｅカード（登録商標）等が挙げられる。
【００２９】
(15)メモリカード（Memory Card）
メモリカード（ＭＭＣ）(15)の中には、本端末で表示するプログラムやデータを格納してもよい。また、本実施の形態ではスロットは１個のみ載せたが、スロットを複数持ってもよい。
(16)ＣＦ（登録商標）メモリカードコントローラ
ＣＦ（登録商標）メモリカードコントローラ(16)は、ＣＦ（登録商標）メモリカード(17)の読み書きを制御したり、カードの有無を検出したりする。本実施の形態ではＣＦを用いたが、もちろん他の方式のメモリカードを用いてもかまわない。このようなカードとしては、ＳＤメモリカード、ｍｉｎｉＳＤ（登録商標）メモリカード、ｍｉｎｉＭＭＣ（登録商標）、ＳｍａｒｔＭｅｄｉａ（登録商標）、ｘＤ−Ｐｉｃｔｕｒｅカード（登録商標）等が挙げられる。
【００３０】
(17)ＣＦ（登録商標）メモリカード
ＣＦ（登録商標）メモリカード(17)の中に、本端末で表示するプログラムやデータを格納する。また、本実施の形態ではスロットは１個のみ載せたが、スロットを複数持ってもよい。また他形式のメモリカードにしてもよい。なお、プログラムやデータは、本体のＲＯＭ(2)やＲＡＭ(3)に搭載してもよい。
(18)モード切り替え手段
モード切り替え手段(18)は、ノーマル表示（書籍コンテンツ表示）状態と、「厚み・付箋」表示状態を切り替えるための手段である。実現手段としては(a)キー（スイッチ）を設ける、(b)傾きセンサ（転倒検出スイッチでもよい。）等が挙げられる。(b) 傾きセンサによる場合には、例えば、マイクロ傾斜センサ（商品名、OMRON社製、形D6B）や、ADXL202E（商品名、アナログ・デバイセズ社製）を使用することができる。また、モード切り替え手段(18)からシステムへの接続は、該手段の状態がシステム(CPU)によって検知できるように構成できればよく、例えば、キー入力ポート(7)を経由してもよいし、別のポートとしてシステム（システムバス）へ接続してもよい。
【００３１】
２．操作フロー図
本実施形態の電子書籍装置は、(1)ページ情報表示処理手段と、(2)入力手段と、(3)ページ厚さ表示処理手段として機能させるためのプログラムによって作動することにより、ソフトウェアによる情報処理がハードウェア資源を用いて具体的に実現されたものである。
このような装置において、操作者の操作・指示によりベースページとなる画面に表示される情報の上に、複数種の表示情報が入力され、そのデータを記憶することになる。
【００３２】
電子書籍端末装置の入力操作・処理フローについて、フロー図を図２−１に示す。
電子書籍装置の電源を入れて操作を開始すると、先ず初期ページコンテンツが画面に表示される。ここでユーザー操作入力待ちとなり、表示モード切り替え入力待ちの状態となる。
ユーザー操作においては、この場合、操作者が電子書籍装置の座標入力装置となるタッチパネルに対してペン操作（マウス操作）又は指操作等を行うことにより、電子書籍装置に備えられた検出装置が入力動作を検出することになる。ページの厚さを表示させるための操作としては、例えば、（ａ）タッチパネルが設けられた位置に対応してページの厚さを表示させるためのボタンが表示されており、これをペン操作（マウス操作）又は指操作により操作する場合、（ｂ）電子書籍装置の傾きを検知することができる装置を備え、紙媒体の書籍を傾けるのと同様に装置を傾けると複数ページの厚さを表示することが指示されるようにする場合が挙げられる。上記（ａ）のタッチパネルを用いずに新たなボタンを筐体に設け、当該ボタン操作によりページの厚さを表示させるようにしても良い。また、上記（ｂ）のようにすれば、ことが好ましい。これにより、紙媒体の書籍よりも、メニュー操作等によるキー操作等の複雑な操作を要求することなく、本を傾けるという動作でページの厚みが表示でき、紙媒体と遜色ない自然な読書スタイルを訴求することができる。
この場合、電子書籍装置内に、筐体の傾きを検知するセンサーを組み込み、通常の読書姿勢と比較して筐体を起こす動作をしたときにのみ、書籍ページの厚みを画面上に表示することが具体例として例示できる。
【００３３】
複数ページの厚み表示フローにおいては、例えば、ユーザー操作入力が上記（ａ）のようにボタンを押す、又は、上記（ｂ）のように装置を傾けるという操作により行われることになる。これにより表示モードが切り替えられて複数ページの厚みが表示されることになる。
複数ページの厚み表示時において、厚み表示のエリア内のタッチパネルを操作すると、その厚みの部分に該当するページのコンテンツを表示するという指定のページ先へジャンプする機能を付与することもできる。また、ページに目印として付箋を付する機能も付与することができ、この場合、付箋表示時に付箋のエリア内のタッチパネルを操作すると、その付箋が付されたページのコンテンツを表示することができる。
なお、表示モードは記憶媒体に記憶され、例えば、ページコンテンツ表示モードから複数ページの厚み表示モードに切り替えられた場合、現在の表示モードを反映してページコンテンツとともに複数ページの厚みが表示されることになる。
【００３４】
ページ送り表示フローとしては、ユーザーからページ送りが「戻る」キー(6a)、「前ページ」キー(6b)、「後ページ」キー(6c)等により入力される。これらのキーコードにより、一階層上のページ、トップページ(目次ページ)等に戻る処理や、前後のページに移動する処理が行われる。また、ページ指定やリンク先指定を行うこともできる。このときキー操作の対象となるのはベースページLayer（層）であり、キー操作に応じたベースページLayerが表示されることとなる。
ページ送りにおいては、ページをめくることを指示するための入力手段と、該入力手段に入力された指示によりページを順次表示してページをめくる処理を行う手段とを有することが好ましく、この場合、入力手段として装置を傾ける等の操作によりページをめくる処理をすることにより、見たいコンテンツが表示されたページを簡便にかつ素早く見つけることができる。このようなページ送り処理は、複数ページの厚み表示において行えば、ページがめくられていく様子が厚みの変化によってもわかり、本としてのリアリティが高まることになる。また、上記電子書籍装置が付箋等の目印を付する機能を有する場合には、目印が付されたページでページめくり処理が止まる機能を付与することもできる。
【００３５】
上記ページめくり処理においてはまた、装置を傾ける角度や時間によってページめくり速度を変更するようにしてもよい。装置を傾けるだけで連続ページめくりする形態のフロー図について、図２−２に示す。図２−２中の※印の場合としては、例えば、「傾いた」状態が指定時間継続した場合（実現例(1)）や、「一定角度以上傾けた」場合（実現例(2)）等が挙げられる。実現例(1)においては、例えば、左へ傾けた状態が３秒間継続した場合、左方のページ（横書きの文書なら前ページ、縦書きの文書なら次ページ）へ移り、右へ傾けた状態が３秒間継続した場合、右方のページ（横書きの文書なら次ページ、縦書きの文書なら前ページ）へ移る形態とすることができる。また、実現例(2)においては、例えば、左右に３０°以下で傾けた場合は、ページ厚さや付箋等を表示し、３０°を超えて傾けた場合として、左へ３０°を超えて傾けた場合には、左方のページ（横書きの文書なら前ページ、縦書きの文書なら次ページ）へ移り、右へ３０°を超えて傾けた場合には、右方のページ（横書きの文書なら次ページ、縦書きの文書なら前ページ）へ移る形態とすることができる。
【００３６】
３．表示モードと画面表示の様子
電子書籍コンテンツの画面表示についてモード切り替え手段（ページの厚さを表示することを指示するための入力手段）を設け、画面表示を変えることになる。
表示モード切り替え手段のバリエーションについては、上記のとおり、（ａ）スイッチボタンによる方法、（ｂ）機器内蔵の傾きセンサによる方法等が挙げられる。これらの場合の表示の切り替わりについて説明する。
（ａ）スイッチボタンを設ける場合
スイッチボタンを離している場合はノーマル表示（全画面に電子ブックページ内容を表示）を行い、スイッチボタンを押している間は「厚み」、「付箋」表示を行う。
スイッチボタンは１個（「厚み・付箋」を同時に表示）でも２個（「厚み」、「付箋」をそれぞれ別個に表示）でもよい。なお、ボタンとして記載しているが、表示を切り替えられるものであればボタンに限られず、モード選択を入力できるものであれば他のものでも良い。
【００３７】
（ｂ）機器内蔵の傾きセンサを設ける場合
機器を傾けていない場合はノーマル表示（全画面に電子ブックページ内容を表示）を行い、機器を傾けている間は「厚み」、「付箋」表示を行う。
傾きセンサは１個（「厚み・付箋」を同時に表示）でも２個（「厚み」、「付箋」をそれぞれ別個に表示）でもよい。
２個の場合、縦に傾けたときに「付箋」表示、横に傾けたときに「厚み」表示でもよく、また、その逆でもよい。
傾きセンサを使う場合、ユーザーが立った状態、寝た状態でも見る使用することを考慮し、下記のように入力手段のモード切り替え機能を有することが好ましい。
（ｂ−１）モードの切り替え手段を設ける形態
この場合、ハード的なキー等でもよいし、ソフト的な設定でもよい。
（ｂ−２）「今が通常表示」と設定するモード切り替え手段を設ける形態
ハード的なキー等でもよいし、ソフト的な設定でもよい。
【００３８】
上記（ｂ）機器内蔵の傾きセンサによる方法において、傾きを検出する手段としては、傾きがＣＰＵに認識できる方法であれば特に限定されないが、例えば、マイクロ傾斜センサ（商品名、OMRON社製、形D6B）や、ADXL202E（商品名、アナログ・デバイセズ社製）等を用いることができる。
マイクロ傾斜センサ（OMRON社製）を使用する場合、水平状態では左右両側出力端子ともHigh電圧信号が出力され、左方向へ傾いた状態では左側出力端子はLow電圧信号、右側出力端子はHigh電圧信号が出力され、右方向へ傾いた状態では左側出力端子はHigh電圧信号、右側出力端子はLow電圧信号が出力されることとなる。なお、このセンサにおいては、１個のセンサで横方向の傾きしか検出しないので、縦と横とで検出が必要である場合には、２個のセンサを９０度の角度で対向して配置させる必要があるが、デジタル的に傾きが検出できるという長所を有する。
ADXL202E（アナログ・デバイセズ社製）では、Ｘ軸及びＹ軸の加速度並びに傾きを検出することができる。傾きを検出する場合には、加速度及び傾きの値に応じてHigh電圧／Low電圧の時間比が変化するので、これをＣＰＵで検出することにより傾きを検出することができる。また、加速度の検出は、書籍端末の動きの検出に利用できる。
【００３９】
なお、上記電子書籍装置としては、起動時又は操作者指定時に入力手段のモードをリセットする機能を有する形態としてもよく、この場合には、例えば、（１）表示装置を「立てた」状態で電源ＯＮしたときには「立てた」状態のときに定常状態（ページコンテンツが全画面に表示された状態）を表示し、「寝せた」状態のときに付箋や厚みを表示する形態、（２）表示装置を「寝せた（水平にした）」状態で電源ＯＮしたときには「寝せた（水平にした）」状態のときに定常状態（ページコンテンツが全画面に表示された状態）を表示し、「立てた」状態のときに付箋や厚みを表示する形態等が挙げられる。また、電源ＯＮのときのみならず、操作者が入力手段（キーその他）で再度指定したときにこのような再評価を行う形態としてもよい。
【００４０】
ページの厚み表示モードにおいては、ページ厚み表示部、付箋表示部をペン操作、タッチ操作等の操作をすると、目的のページへジャンプし表示できる。
またページ厚み表示のときに、インデックス（章の名称と分量）を表示することも可能である。例えば、ページ厚み表示部に各チャプターの厚みが表示され、それに加えて各チャプターの名称等の情報がチャプターの厚み表示エリア内等に表示されるようにすることも可能である。これらの場合、書籍内容のインデックス検索等を効率よく行うことが可能となる。このようにインデックスの表示を加えると画面の表示領域をかなり取ることから、インデックスを表示するモードと、書籍コンテンツを主とする通常表示モードとを切り替えられるようにしておくことが望ましい。よって、書籍コンテンツを主とする表示の通常表示モードと、コンテンツの表示に加えてページ厚みを表示するモードとの切り替え手段が設けられ、画面表示を変えることができる本実施形態において有効であり、これによりの付加機能とすると良い。書籍内容のインデックス検索等を効率よく行うことが可能となる。
【００４１】
図３−１は、従来のページ厚み表示の様子である。この場合、コンテンツとページ厚みとを常時混在させて表示することになり、画面の一部が常に「厚み」、「付箋」表示に取られ、有効表示エリアが狭くなり、実際にページの内容を表示している部分が小さくなる。
図３−２は、本実施形態における書籍コンテンツとページ厚み表示の様子である。この場合、上述したように電子書籍コンテンツの画面表示についてモード切り替え手段を設け、画面表示を変えることになる。書籍コンテンツ表示時には、画面全体を有効表示エリアとして活用することが可能であり、従来より広い範囲でコンテンツを見やすく表示することができる。
【００４２】
図３−２においては、ページ厚み表示には、モード表示切り替え手段を少なくとも２個もつ場合（そのうちの一つがモード表示切替手段がページの厚さを表示することを指示するための入力手段として機能し、他の一つが「付箋」を表示することを指示するための入力手段として機能する）、厚み表示においては、「厚み表示」ボタンを押す、又は、装置を横に傾けることにより、書籍コンテンツとともにページ厚みが表示されることになり(図３−２(C))、付箋表示においては、「付箋表示」ボタンを押す、又は、装置を縦に傾けることにより、書籍コンテンツとともに付箋が付いたページ厚みが表示されることになる(図３−２(B))。また、モード表示切り替え手段を１個もつ場合、ボタンを押す、又は、装置を縦若しくは横に傾けることにより、書籍コンテンツとともに付箋が付いたページ及びページ厚みが表示されることになる(図３−２(A))。なお、この場合は、同一のモード表示切り替え手段を複数回操作することにより、ページ厚みのみの表示、ページ厚みに付箋を加えた表示を順次切り替えるようにすることも出来る。
このような表示方法により、ユーザーが必要とするときのみページ厚みや付箋を表示し、書籍コンテンツ表示において画面面積を有効に活用することが可能となる。
また装置の傾け方により、表示される情報が異なるようにすることにより、電子書籍の操作性等を向上することができる。
【００４３】
図３−３は、厚み表示状態のときにインデックスを表示する機能を備えた装置の一形態における表示画面を示す模式図である。
図３−３においては、インデックス(19)表示機能により、章の位置が分かると同時に章の名前（例えば、「第１章  はじめに」、「第２章  ＸＸＸとは」、「第３章  おわりに」等）が、吹き出し等により画面上に表示される。なお、更に細かい節や段落単位で表示してもよい。また、章別にインデックス(19)の色を変更する等操作者に分かりやすいように表示を工夫することもできる。
このような装置においては、インデックス(19)や吹き出し部をタッチ等すると、当該ページにジャンプすることが可能である。
【００４４】
４．Layer（層）の概念とLayer画面合成処理の実現方法
(1)Layer（層）の概念
上述したような実施の形態においては、書籍等のコンテンツを画面上に表示することになるが、複数の書籍等のコンテンツを表示する場合におけるコンテンツの多層化の手段について以下に説明する。コンテンツの多層化とは、複数のコンテンツの中から操作者が見たいコンテンツの画面を表示するための手法である。複数のコンテンツは、１つのコンテンツが１つの層（Layer）をそれぞれ形成し、選択された層が画面合成処理をされて表示手段に表示されることになる。この場合、ベースページの表示情報を描画する層とベースページに付加する表示情報を描画する層とを画面合成処理して表示する手段を備えたものとなる。なお、ベースページとは、電子書籍においては、書籍等の内容が書き込まれ、操作者であるユーザーによる書き込みがないページである。
このような表示手法を適用した１つの例としては、１つのコンテンツのページを表示している状態から他のページに表示を切り替える際に、同じコンテンツの前後のページ及び他のコンテンツの関連するページの中から操作者が選択して指示する手段と、該選択手段により選択されたページを画面上に表示する処理を行う手段とを備えた情報表示装置又は電子書籍装置が挙げられる。上述したようにコンテンツが多層化され、複数の層を画像合成処理する手段を備えた情報表示装置及び電子書籍装置もまた本発明の１つである。
【００４５】
図４においては、ユーザー描画LayerとベースページLayerとが重なって構成される概念図が示されている。ユーザー描画Layerは、ユーザーが画面上に書き込んだ描画を表示するLayerであり、ビットマップ方式で実現してもよいし、ベクトル方式で実現してもよい。描画の種類としては、不透明自由描画、透明自由描画等、不透明マーカー、透明マーカー等が挙げられる。ベースページLayerは、書籍の内容等を表示するLayerである。
これらのLayerを画面合成処理し、その画面合成結果（オフスクリーンバッファ）を転送してモード選択エリアを表示させて画面表示内容が構成されることになる。
【００４６】
(2)Layer画面合成処理の実現例
図５においては、ユーザー描画Layerにおけるカラー情報（カラーコード）表現Ｕ、ベースページLayerにおけるカラー情報（カラーコード）表現Ｐ、画面合成結果（オフスクリーンバッファ）におけるカラー情報（カラーコード）表現Ｏが示されている。
ユーザー描画Layerにおいては、T bitの状態で描画の方法を決定する。この際、１ドット毎（ユーザー指定の色）により、透明／不透明が選択可能である。
ユーザー描画LayerとベースページLayerとを合成した画面合成結果（オフスクリーンバッファ）では、(ア)ユーザー描画Layerで不透明色(T=0)のドットと(イ)ユーザー描画Layerで透明色(T=1)のドットとに分けて示されている。(ア)においては、画面では、ページの上に「ユーザー描画」内容が重なって表示される。この場合、例えて言うとペンキで上塗りした感じとなる。（イ）においては、図６に示されるように実現法(1)と実現法(2)が挙げられる。実現法(1)では、ユーザー描画(U)とベースページ(P)におけるカラー情報（カラーコード）のred, green, blueがそれぞれAND（論理積）演算されて画面合成結果(O)となることが概念的に示されている。この場合、下記のような効果、長所、短所がある。
効果:擬似的に紙を染料で染めた感じを出すことができる。
長所:処理が実現法(2)より軽い。
短所:ユーザー描画(U)とベースページ(P)との色の組み合わせによっては、色が出ない場合がある（論理積のパターンに変化が出ない。）。
【００４７】
実現法(2)では、ユーザー描画(U)とベースページ(P)におけるカラー情報（カラーコード）のred, green, blueが、図７に示されるように、それぞれ色成分乗算されて画面合成結果(O)となることが概念的に示されている。この場合、下記のような効果、長所、短所がある。
効果:擬似的に紙を染料で染めた感じを出すことができる。
長所:紙の表現に忠実。
短所:処理が実現法(1)より重い。ただし、ＭＭＸ（米国Ｉｎｔｅｌ社や米国ＡＭＤ社等のｘ８６系ＣＰＵのマルチメディア処理命令）や、それと同等する命令を持つＲＩＳＣ系ＣＰＵを使えば容易に実現できる。
【００４８】
図７においては、Redの場合のLayer画面合成処理のフローを示している。
先ずユーザー描画(U)とベースページ(P)におけるカラー情報のredの値の範囲から図中に示す色成分乗算することにより、画面合成結果(O) におけるカラー情報のredの値の範囲が求められることになる。Green, Blueの場合もRed同様に演算すればよい。
なお、本発明においては、「Layer合成処理」を伴うことが必須ではないが、これらと組み合わせてもよい。
【００４９】
コンテンツの多層化の例としては、例えば、情報表示装置又は電子書籍装置を学習・教育に利用する形態がある。この場合、複数のコンテンツとして教科書、副読本、参考書、辞書、問題集等がある場合、特定のコンテンツ（例えば、教科書）のページを表示する機能と、表示されたページに関連する他のコンテンツ（副読本、参考書、辞書、問題集等）のページを表示する機能とを有することにより、例えば、特定のコンテンツのページをめくり、他のコンテンツのページを見たいときに操作者が指示すれば他のコンテンツの関連ページが表示され、そこから他のコンテンツのページをめくることができ、また、特定のコンテンツのページに戻りたいときに操作者が指示すれば特定のコンテンツの関連ページが表示されるという形態を実施することが可能となる。また、コンテンツのページ中の特定部分に関連する他のコンテンツのページを見たいときに操作者が指示すれば他のコンテンツの関連ページが表示され、更に表示されたコンテンツのページ中の特定部分に関連する他のコンテンツのページを見たいときに操作者が指示すれば他のコンテンツの関連ページが表示され、これを複数回行うことができるという形態を実施することが可能となる。
【００５０】
これらの形態により、携帯用の電子書籍装置において、電源や性能に制約がある中で一般的なパソコン等とは異なる方法でコンテンツの多層化を実現することができる。例えば、教科書のコンテンツを用いた学習・教育において、(1)教育のレベルによりコンテンツを多層化する形態、(2)通信機能（有線、無線）を生かしてe-learningコンテンツ（インターネットにおけるウェブサイトのコンテンツ）を多層化する形態等を実現することができる。
上記(1)では、第１層が表面的な内容、第２層が少し詳しい内容、第３層がより詳しい内容、第４層が参考文献、ＵＲＬ等の外部リンクに関する内容とすることが挙げられる。上記(2)では、第１層を教科書や参考書等の書籍の内容、第２層を教師等により作成された練習問題の内容や参考・発展的内容の追記等、第３層を生徒による回答内容等とすることが挙げられる。これらのコンテンツの多層化により、特に電子書籍としての専用端末においては、効率的にコンテンツの内容を表示させて学習することができ、従来の書籍を用いる場合よりも複数のコンテンツを簡便に見ることができる簡便性や、複数のコンテンツを様々な方法で利用することができる利便性を充実させることが可能となる。
なお、ここに挙げた例は、コンテンツの多層化における例の一部であり、多層化されたコンテンツのうち、選択されたコンテンツを画面表示する機能を有する限りこれらの例に限られるものではい。
【００５１】
実施の形態１
本実施の形態では、上記構成の電子書籍端末装置電子書籍装置(39)であって、厚み表示ボタン(40)を設けた装置を用いた。
図８−１の読書状態図は、操作者が、電子書籍装置(39)内に格納されている書籍データを読み出すことによって、書籍データが表示装置に表示された状態を示す模式図である。
この状態において、操作者が厚み表示ボタン(40)を押すと、厚み表示状態(1)図に示すように、閲覧ページ前後の本の厚みが表示されることとなる。また、この表示状態で厚み表示のエリア内(42)のタッチパネルを操作すると、その厚みの部分に該当するページのコンテンツが表示されることとなる。
【００５２】
実施の形態２
本実施の形態では、上記構成の電子書籍端末装置電子書籍装置(39)であって、傾きセンサが設けられ、機器を縦に傾けている間は「厚み」表示を行う装置を用いた。
図８−２の読書状態図は、図８−１の読書状態図と同様の状態を示す模式図である。
この状態において、操作者が装置本体を縦に起こすと、厚み表示状態(2)図に示すように、閲覧ページ前後の本の厚みが表示されることとなる。また、この表示状態で厚み表示のエリア内(42)のタッチパネルを操作すると、その厚みの部分に該当するページのコンテンツが表示されることとなる。
【００５３】
実施の形態３
本実施の形態では、上記構成の電子書籍端末装置電子書籍装置(39)であって、傾きセンサが設けられ、機器を横に傾けている間は「厚み」表示を行う装置を用いた。
図８−３の読書状態図は、図８−１の読書状態図と同様の状態を示す模式図である。
この状態において、操作者が装置本体を横に傾けると、厚み表示状態(3)図に示すように、画面が本を横から見るような厚み表示に切り替わる。また、この表示状態で厚み表示のエリア内(42)のタッチパネルを操作すると、その厚みの部分に該当するページのコンテンツが表示されることとなる。更に、この状態では、付箋(43)等も同時に表示でき、付箋のエリア内のタッチパネルを操作すると、その付箋(43)が付されたページのコンテンツを表示することができる。
【００５４】
実施の形態４
本実施形態では、実施の形態１と同様の電子書籍端末装置電子書籍装置であって、更にコンテンツの多層化が実現された装置を用いた。具体的には、多層化されたコンテンツのうち、選択された１つ又は２つ以上のコンテンツを画面に表示する機能を有する装置により構成される電子書籍装置を用いた。なお、多層化されたコンテンツとして、第１層を表面的な内容、第２層を少し詳しい内容、第３層をより詳しい内容、第４層を参考文献やＵＲＬ等の外部リンクの内容とし、第１層からは第２層へ、第２層からは第１又は第３層へ、第３層からは第２又は第４層へ、第４層からは第３層へ表示画面を切り替えることが可能となっている。
このような電子書籍装置に任意のコンテンツが表示されている状態において、操作者が厚み表示ボタンを押すと、実施の形態１と同様に、閲覧ページ前後の本の厚みが表示されることとなり、また、この表示状態で厚み表示のエリア内のタッチパネルを操作すると、その厚みの部分に該当するページのコンテンツが表示されることとなる。
【図面の簡単な説明】
【００５５】
【図１】本発明の１つの実施の形態における電子書籍端末装置電子書籍装置のハードウェア構成を示すブロック図である。
【図２−１】本発明の１つの実施の形態における電子書籍端末装置電子書籍装置の入力操作・処理フローを示す操作フロー図である。
【図２−２】装置を傾けるだけで連続ページめくりする形態における電子書籍装置の入力操作・処理フローを示す操作フロー図である。
【図３−１】従来のページ厚み表示の様子を示す模式図である。
【図３−２】本発明の１つの実施の形態における書籍コンテンツとページ厚み表示の様子を示す模式図である。
【図３−３】厚み表示状態のときにインデックスを表示する機能を備えた装置の一形態における表示画面を示す模式図である。
【図４】本発明の１つの実施の形態における電子書籍端末装置電子書籍装置において、ユーザ描画LayerとベースページLayerとが重なって構成されることを示す概念図である。
【図５】本発明の１つの実施の形態における電子書籍端末装置電子書籍装置において、ユーザ描画Layerにおけるカラー情報（カラーコード）表現Ｕ、ベースページLayerにおけるカラー情報（カラーコード）表現Ｐ、及び、画面合成結果（オフスクリーンバッファ）におけるカラー情報（カラーコード）表現Ｏを概念的に示す図である。
【図６】図５における(イ)ユーザ描画Layerで透明色(T=1)のドットの場合の実現法(1)及び(2)を概念的に示す図である。
【図７】図６の実現法(2)における色成分乗算方法を示すフロー図である。
【図８−１】実現実施の形態１における厚み表示処理前後の表示結果を示す模式図である。
【図８−２】実施実現の形態２における厚み表示処理前後の表示結果を示す模式図である。
【図８−３】実施実現の形態３における厚み表示処理前後の表示結果を示す模式図である。
【符号の説明】
【００５６】
１：ＣＰＵ（中央処理装置）
２：ＲＯＭ
３：ＲＡＭ
４：タッチパネル
５：タッチパネルコントローラ
６：キー
７：キー入力ポート
８：電源キー
９：電源コントローラ
１０：充電池
１１：ＡＣアダプタ
１２：表示コントローラ
１３：表示装置
１４：ＭＭＣコントローラ
１５：メモリカード（ＭＭＣ）
１６：ＣＦメモリカードコントローラ
１７：ＣＦメモリカード
１８：モード切替手段
１９：インデックス表示
２８：不透明自由描画
２９：不透明マーカー
３０：透明マーカー
３１：透明自由描画
３２：モード選択エリア
３３：〔自由描画〕ボタン
３４：〔マーカー〕ボタン
３５：〔消しゴム〕ボタン
３６：〔色選択〕ボタン
３７：〔太さ選択〕ボタン
３８：画面
３９：電子書籍装置装置
４０：厚み表示ボタン（スイッチ）
４１：ボタン（スイッチ）
【図１】
2006053605.tif 000003
【図２−１】
2006053605.tif 000004
【図２−２】
2006053605.tif 000005
【図３−１】
2006053605.tif 000006
【図３−２】
2006053605.tif 000007
【図３−３】
2006053605.tif 000008
【図４】
2006053605.tif 000009
【図５】
2006053605.tif 000010
【図６】
2006053605.tif 000011
【図７】
2006053605.tif 000012
【図８−１】
2006053605.tif 000013
【図８−２】
2006053605.tif 000014
【図８−３】
2006053605.tif 000015